【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
曲面を有する被写体の画像パターンを読み取る画像読取装置において、
複数の表示画素が２次元配列された表示画素アレイを具備する画像表示部と、
前記表示画素アレイの視野側に配置され、複数の読取画素が２次元配列された透過型の読取画素アレイを具備し、該読取画素アレイ上に設けられた検知面に載置された前記被写体を回転移動させながら前記曲面を含む範囲の前記画像パターンを読み取る画像読取部と、
前記画像表示部の前記表示画素アレイに、少なくとも前記被写体の前記画像パターンを読み取る際の前記被写体の回転移動状態を誘導するための誘導情報を表示させる表示制御部と、
を備えることを特徴とする画像読取装置。
【請求項２】
前記表示制御部は、前記画像読取部の前記読取画素アレイによる前記被写体の前記画像パターンの読取動作に先立って、前記画像表示部の前記表示画素アレイに、前記読取動作における前記被写体の回転移動全般に関する前記誘導情報を表示させる手段を有していることを特徴とする請求項１記載の画像読取装置。
【請求項３】
前記表示制御部は、前記画像読取部の前記読取画素アレイによる前記被写体の前記画像パターンの読取動作中に、前記画像表示部の前記表示画素アレイに、前記読取動作における前記被写体の前記検知面上での載置位置に関する前記誘導情報を表示させる手段を有していることを特徴とする請求項２記載の画像読取装置。
【請求項４】
前記画像読取部は、
前記読取画素アレイに設定される前記画像パターンの読取領域を走査する走査制御手段と、
前記検知面に載置された前記被写体の回転移動に応じて、前記読取領域に対応する前記被写体の部分画像パターンを順次読み取る読出制御手段と、
前記部分画像パターンに基づいて、前記被写体の前記曲面を含む範囲の前記画像パターンを生成する画像生成手段と、
を具備することを特徴とする請求項１乃至３のいずれかに記載の画像読取装置。
【請求項５】
前記画像読取装置は、前記読取画素アレイにより前記被写体の前記画像パターンを読み取る際の読取感度を調整する読取感度設定部を、さらに備えることを特徴とする請求項１乃至４のいずれかに記載の画像読取装置。
【請求項６】
前記表示制御部は、前記読取画素アレイを構成する前記複数の読取画素に、前記最適な前記読取感度を設定するための前記被写体の前記画像パターンの感度調整用読取動作に先立って、前記画像表示部の前記表示画素アレイに、前記感度調整用読取動作における前記検知面への前記被写体の載置状態に関する前記誘導情報を表示させる手段を有していることを特徴とする請求項５記載の画像読取装置。
【請求項７】
前記画像読取手段の前記読取画素アレイにより規定される画像読取エリアは、前記画像表示手段の前記表示画素アレイにより規定される画像表示エリアに対して、同等の広がりを有して平面的に重なるように設定されていることを特徴とする請求項１乃至６のいずれかに記載の画像読取装置。
【請求項８】
前記画像読取手段の前記読取画素アレイにより規定される画像読取エリアは、前記画像表示手段の前記表示画素アレイにより規定される画像表示エリア内に含まれて重なるように平面的な広がりが設定されていることを特徴とする請求項１乃至６のいずれかに記載の画像読取装置。
【請求項９】
前記表示制御部は、前記読取画素アレイが平面的に重ならない領域の前記画像表示エリアに、少なくとも前記被写体の前記画像パターンの読取動作における前記被写体の前記検知面上での載置位置に関する前記誘導情報を表示させることを特徴とする請求項８記載の画像読取装置。
【請求項１０】
前記画像表示部は、前記表示画素アレイの背面側に面光源を具備し、該面光源の一面側から放射される光が、前記表示画素アレイ及び前記読取画素アレイを介して、前記視野側に透過するように構成されていることを特徴とする請求項１乃至９のいずれかに記載の画像読取装置。
【請求項１１】
前記表示画素アレイは、液晶画素を２次元配列した透過型の液晶表示パネルであることを特徴とする請求項１０記載の画像読取装置。
【請求項１２】
前記表示画素アレイは、発光素子を含む前記表示画素を２次元配列した自己発光型の表示パネルであり、該表示パネルから放射される光が、前記読取画素アレイを介して、前記視野側に透過するように構成されていることを特徴とする請求項１乃至９のいずれかに記載の画像読取装置。
【請求項１３】
前記読取画素は、前記画像表示部から放射され、前記読取画素アレイを介して、前記検知面上に載置された前記被写体に照射された光の反射光を受光して、前記被写体の前記画像パターンを明暗情報として読み取るフォトセンサであることを特徴とする請求項１乃至１２のいずれかに記載の画像読取装置。
【請求項１４】
曲面を有する被写体の画像パターンを読み取る画像読取装置の画像読取方法において、
少なくとも、
視野側に配置され、複数の読取画素が２次元配列された透過型の読取画素アレイ上に設けられた検知面に前記被写体を載置し、該被写体を回転移動させながら前記曲面を含む範囲の前記画像パターンを読み取るステップと、
前記画像パターンを読み取るステップに先立って、複数の表示画素が２次元配列された表示画素アレイに、少なくとも前記画像パターンを読み取る際の前記被写体の回転移動全般に関する誘導情報を表示し、前記読取画素アレイを介して前記視野側に透過させるステップと、
を含むことを特徴とする画像読取装置の画像読取方法。
【請求項１５】
前記画像パターンを読み取るステップ中に、前記表示画素アレイに、前記画像パターンを読み取る際の前記被写体の前記検知面上での載置位置に関する前記誘導情報を表示するステップを含むことを特徴とする請求項１４記載の画像読取装置の画像読取方法。
【請求項１６】
前記誘導情報を表示するステップは、前記読取画素アレイに設定される前記画像パターンの読取領域に対応する領域を白表示させることにより実行されることを特徴とする請求項１５記載の画像読取装置の画像読取方法。
【請求項１７】
前記誘導情報を表示するステップは、視野側に前記読取画素アレイが配置されていない領域の前記表示画素アレイに、前記誘導情報を表示することにより実行されることを特徴とする請求項１５又は１６記載の画像読取装置の画像読取方法。
【請求項１８】
前記画像パターンを読み取るステップは、
前記読取画素アレイに設定される前記画像パターンの読取領域を走査する動作と、
前記検知面に載置された前記被写体の回転移動に応じて、前記読取領域に対応する前記被写体の部分画像パターンを読み取る動作と、
を、順次繰り返し実行し、
前記部分画像パターンに基づいて、前記被写体の前記曲面を含む範囲の前記画像パターンを生成することを特徴とする請求項１４乃至１７のいずれかに記載の画像読取装置の画像読取方法。
【請求項１９】
前記画像パターンを読み取るステップに先立って、前記読取画素アレイに、前記画像パターンを読み取る際の読取感度を調整するステップを、さらに含むことを特徴とする請求項１４乃至１７のいずれかに記載の画像読取装置の画像読取方法。
【請求項２０】
前記読取画素アレイに、前記画像パターンを読み取る際の読取感度を調整するステップに先立って、前記表示画素アレイに、少なくとも前記読取感度を調整する際の前記画像パターンを読み取る感度調整用読取動作における前記検知面への前記被写体の載置状態に関する前記誘導情報を表示するステップを、さらに含むことを特徴とする請求項１９記載の画像読取装置の画像読取方法。
【手続補正２】
【補正対象書類名】明細書
【補正対象項目名】００１５
【補正方法】変更
【補正の内容】
【００１５】
請求項５記載の発明は、請求項１乃至４のいずれかに記載の画像読取装置において、前記画像読取装置は、前記読取画素アレイにより前記被写体の前記画像パターンを読み取る際の読取感度を調整する読取感度設定部を、さらに備えることを特徴とする。
【手続補正３】
【補正対象書類名】明細書
【補正対象項目名】００１６
【補正方法】変更
【補正の内容】
【００１６】
請求項６記載の発明は、請求項５記載の画像読取装置において、前記表示制御部は、前記読取画素アレイを構成する前記複数の読取画素に、前記最適な前記読取感度を設定するための前記被写体の前記画像パターンの感度調整用読取動作に先立って、前記画像表示部の前記表示画素アレイに、前記感度調整用読取動作における前記検知面への前記被写体の載置状態に関する前記誘導情報を表示させる手段を有していることを特徴とする。
【手続補正４】
【補正対象書類名】明細書
【補正対象項目名】００１７
【補正方法】変更
【補正の内容】
【００１７】
請求項７記載の発明は、請求項１乃至６のいずれかに記載の画像読取装置において、前記画像読取手段の前記読取画素アレイにより規定される画像読取エリアは、前記画像表示手段の前記表示画素アレイにより規定される画像表示エリアに対して、同等の広がりを有して平面的に重なるように設定されていることを特徴とする。
【手続補正５】
【補正対象書類名】明細書
【補正対象項目名】００１８
【補正方法】変更
【補正の内容】
【００１８】
請求項８記載の発明は、請求項１乃至６のいずれかに記載の画像読取装置において、前記画像読取手段の前記読取画素アレイにより規定される画像読取エリアは、前記画像表示手段の前記表示画素アレイにより規定される画像表示エリア内に含まれて重なるように平面的な広がりが設定されていることを特徴とする。
【手続補正６】
【補正対象書類名】明細書
【補正対象項目名】００１９
【補正方法】変更
【補正の内容】
【００１９】
請求項９記載の発明は、請求項８記載の画像読取装置において、前記表示制御部は、前記読取画素アレイが平面的に重ならない領域の前記画像表示エリアに、少なくとも前記被写体の前記画像パターンの読取動作における前記被写体の前記検知面上での載置位置に関する前記誘導情報を表示させることを特徴とする。
【手続補正７】
【補正対象書類名】明細書
【補正対象項目名】００２０
【補正方法】変更
【補正の内容】
【００２０】
請求項１０記載の発明は、請求項１乃至９のいずれかに記載の画像読取装置において、前記画像表示部は、前記表示画素アレイの背面側に面光源を具備し、該面光源の一面側から放射される光が、前記表示画素アレイ及び前記読取画素アレイを介して、前記視野側に透過するように構成されていることを特徴とする。
【手続補正８】
【補正対象書類名】明細書
【補正対象項目名】００２１
【補正方法】変更
【補正の内容】
【００２１】
請求項１１記載の発明は、請求項１０記載の画像読取装置において、前記表示画素アレイは、液晶画素を２次元配列した透過型の液晶表示パネルであることを特徴とする。
請求項１２記載の発明は、請求項１乃至９のいずれかに記載の画像読取装置において、前記表示画素アレイは、発光素子を含む前記表示画素を２次元配列した自己発光型の表示パネルであり、該表示パネルから放射される光が、前記読取画素アレイを介して、前記視野側に透過するように構成されていることを特徴とする。
【手続補正９】
【補正対象書類名】明細書
【補正対象項目名】００２２
【補正方法】変更
【補正の内容】
【００２２】
請求項１３記載の発明は、請求項１乃至１２のいずれかに記載の画像読取装置において、前記読取画素は、前記画像表示部から放射され、前記読取画素アレイを介して、前記検知面上に載置された前記被写体に照射された光の反射光を受光して、前記被写体の前記画像パターンを明暗情報として読み取るフォトセンサであることを特徴とする。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
請求項１４記載の発明は、曲面を有する被写体の画像パターンを読み取る画像読取装置の画像読取方法において、少なくとも、視野側に配置され、複数の読取画素が２次元配列された透過型の読取画素アレイ上に設けられた検知面に前記被写体を載置し、該被写体を回転移動させながら前記曲面を含む範囲の前記画像パターンを読み取るステップと、前記画像パターンを読み取るステップに先立って、複数の表示画素が２次元配列された表示画素アレイに、少なくとも前記画像パターンを読み取る際の前記被写体の回転移動全般に関する誘導情報を表示し、前記読取画素アレイを介して前記視野側に透過させるステップと、を含むことを特徴とする。
【手続補正１２】
【補正対象書類名】明細書
【補正対象項目名】００２５
【補正方法】変更
【補正の内容】
【００２５】
請求項１５記載の発明は、請求項１４記載の画像読取装置の画像読取方法において、前記画像パターンを読み取るステップ中に、前記表示画素アレイに、前記画像パターンを読み取る際の前記被写体の前記検知面上での載置位置に関する前記誘導情報を表示するステップを含むことを特徴とする。
【手続補正１３】
【補正対象書類名】明細書
【補正対象項目名】００２６
【補正方法】変更
【補正の内容】
【００２６】
請求項１６記載の発明は、請求項１５記載の画像読取装置の画像読取方法において、前記誘導情報を表示するステップは、前記読取画素アレイに設定される前記画像パターンの読取領域に対応する領域を白表示させることにより実行されることを特徴とする。
請求項１７記載の発明は、請求項１５又は１６記載の画像読取装置の画像読取方法において、前記誘導情報を表示するステップは、視野側に前記読取画素アレイが配置されていない領域の前記表示画素アレイに、前記誘導情報を表示することにより実行されることを特徴とする。
【手続補正１４】
【補正対象書類名】明細書
【補正対象項目名】００２７
【補正方法】変更
【補正の内容】
【００２７】
請求項１８記載の発明は、請求項１４乃至１７のいずれかに記載の画像読取装置の画像読取方法において、前記画像パターンを読み取るステップは、前記読取画素アレイに設定される前記画像パターンの読取領域を走査する動作と、前記検知面に載置された前記被写体の回転移動に応じて、前記読取領域に対応する前記被写体の部分画像パターンを読み取る動作と、を、順次繰り返し実行し、前記部分画像パターンに基づいて、前記被写体の前記曲面を含む範囲の前記画像パターンを生成することを特徴とする。
【手続補正１５】
【補正対象書類名】明細書
【補正対象項目名】００２８
【補正方法】変更
【補正の内容】
【００２８】
請求項１９記載の発明は、請求項１４乃至１７のいずれかに記載の画像読取装置の画像読取方法において、前記画像パターンを読み取るステップに先立って、前記読取画素アレイに、前記画像パターンを読み取る際の読取感度を調整するステップを、さらに含むことを特徴とする。
【手続補正１６】
【補正対象書類名】明細書
【補正対象項目名】００２９
【補正方法】変更
【補正の内容】
【００２９】
請求項２０記載の発明は、請求項１９記載の画像読取装置の画像読取方法において、前記読取画素アレイに、前記画像パターンを読み取る際の読取感度を調整するステップに先立って、前記表示画素アレイに、少なくとも前記読取感度を調整する際の前記画像パターンを読み取る感度調整用読取動作における前記検知面への前記被写体の載置状態に関する前記誘導情報を表示するステップを、さらに含むことを特徴とする。